(57)【要約】【課題】保留されている印刷ジョブの実行要求を簡単に行うことが可能な画像形成装置を提供する。【解決手段】画像形成装置は、印刷部と、保留されている印刷ジョブの印刷データを記憶する記憶部と、所定操作を受け付けると、記憶部に記憶されている印刷データの識別情報を表示し、指定操作を受け付ける操作パネルと、指定操作で指定された識別情報に対応する印刷データに基づく印刷ジョブを印刷部に実行させる制御部と、を備え、制御部は、ユーザーが予め定められたショートカット動作を行った判断すると、操作パネルが所定操作を受け付けていなくても、操作パネルに識別情報を表示させるとともに、操作パネルに指定操作の受け付けを行わせる。【選択図】図６
2020166126.tif 000002
【特許請求の範囲】
【請求項１】
用紙に画像を印刷する印刷ジョブを実行する印刷部と、
保留されている前記印刷ジョブの実行に必要な印刷データを記憶する記憶部と、
ユーザーから所定操作を受け付けると、前記記憶部に記憶されている前記印刷データの識別情報を表示し、いずれかの前記識別情報を指定する指定操作をユーザーから受け付ける操作パネルと、
前記操作パネルが前記指定操作を受け付けると、前記指定操作で指定された前記識別情報に対応する前記印刷データに基づく前記印刷ジョブを前記印刷部に実行させる制御部と、を備え、
前記制御部は、ユーザーが予め定められたショートカット動作を行ったと判断すると、前記操作パネルが前記所定操作を受け付けていなくても、前記操作パネルに前記識別情報を表示させるとともに、前記操作パネルに前記指定操作の受け付けを行わせることを特徴とする画像形成装置。
【請求項２】
発生した振動に応じた値を出力する振動センサーを備え、
前記ショートカット動作は、画像形成装置の筺体を叩く動作であり、
前記制御部は、前記振動センサーの出力値に基づき、前記ショートカット動作が行われたか否かを判断することを特徴とする請求項１に記載の画像形成装置。
【請求項３】
前記制御部は、所定期間内に２回以上の所定回数以上、前記振動センサーの出力値が予め定められた閾値を超えたとき、前記ショートカット動作が行われたと判断することを特徴とする請求項２に記載の画像形成装置。
【請求項４】
前記制御部は、電力供給モードが通常モードよりも消費電力を抑制する省電力モードのとき、前記ショートカット動作が行われたと判断すると、前記電力供給モードを前記通常モードに復帰させ、前記電力供給モードを前記通常モードに復帰させた後、前記操作パネルが前記所定操作を受け付けていなくても、前記操作パネルに前記識別情報を表示させるとともに、前記操作パネルに前記指定操作の受け付けを行わせることを特徴とする請求項１〜３のいずれか１項に記載の画像形成装置。
【請求項５】
前記制御部は、前記記憶部に複数の前記印刷データが記憶されている場合に、前記ショートカット動作が行われたと判断すると、前記操作パネルに前記識別情報を表示させるとともに、前記操作パネルに前記指定操作の受け付けを行わせ、前記記憶部に記憶されている前記印刷データが１つである場合には、前記ショートカット動作が行われたと判断すると、前記記憶部に記憶されている前記印刷データに基づく前記印刷ジョブを前記印刷部に実行させることを特徴とする請求項１〜４のいずれか１項に記載の画像形成装置。
【請求項６】
請求項１〜５のいずれか１項に記載の画像形成装置と、
前記画像形成装置と通信可能に接続され、ユーザーが要求した前記印刷ジョブの前記印刷データを前記画像形成装置に送信する情報処理装置と、を備え、
前記情報処理装置は、前記画像形成装置に前記印刷データを送信するとき、前記印刷ジョブを保留するか否かをユーザーから受け付け、前記印刷ジョブを保留する旨を受け付けた場合、前記画像形成装置に送信する前記印刷データに保留情報を付加し、
前記制御部は、前記保留情報が付加された前記印刷データを前記記憶部に記憶させることを特徴とする画像形成システム。
【発明の詳細な説明】
【技術分野】
【０００１】
本発明は、画像形成装置および画像形成システムに関する。
【背景技術】
【０００２】
従来、印刷ジョブの実行が可能な画像形成装置が知られている。このような画像形成装置は、たとえば、特許文献１に開示されている。
【０００３】
従来の画像形成装置は、印刷ジョブの実行時、用紙に画像を印刷する。印刷ジョブの印刷物は排出トレイに排出される。或る印刷ジョブの完了後、ユーザーが排出トレイから印刷物を抜き取る前に他の印刷ジョブが実行されると、先行の印刷ジョブの印刷物上に後行の印刷ジョブの印刷物が積層される。この場合、先行の印刷ジョブの印刷物を排出トレイから抜き取るとき、排出トレイ上に在る印刷物を仕分ける仕分作業を行わなければならないので、ユーザーにとっては煩わしい。
【先行技術文献】
【特許文献】
【０００４】
【特許文献１】特開２０１４−１０３４５号公報
【発明の概要】
【発明が解決しようとする課題】
【０００５】
画像形成装置には、印刷ジョブを保留し、ユーザーから実行要求を受けたとき、保留している印刷ジョブを実行するものがある。たとえば、保留されている印刷ジョブの実行要求は操作パネルがユーザーから受け付ける。
【０００６】
この構成では、ユーザーは画像形成装置に近づいてから、保留されている印刷ジョブの実行要求を画像形成装置に行うことができる。言い換えると、保留されている印刷ジョブは、ユーザーが画像形成装置の近くにいるときに実行される。これにより、保留されていた印刷ジョブの完了後、ユーザーは自身の印刷物を直ぐに排出トレイから抜き取ることができる（当該ユーザーの印刷物が他の複数の印刷ジョブの印刷物の中に混入するのを抑制することができる）。したがって、仕分作業を行わなくてもよくなる。
【０００７】
たとえば、操作パネルは、保留されている印刷ジョブの実行要求をユーザーから受け付けるとき、保留されている印刷ジョブの識別情報をリストアップしたリストを表示する。そして、画像形成装置は、リストのうち指定された識別情報に対応する印刷ジョブを実行する。
【０００８】
ここで、操作パネルにリストを表示するには、操作パネルに対して操作を行わなければならない。機種によっては、リストを表示するための操作回数が複数回に及ぶ。したがって、ユーザーにとっては、煩わしく利便性が悪い。また、ユーザーが画像形成装置の扱いに慣れていなければ、どのような操作を行えばよいかが分からない場合がある。この場合には、他のユーザーに操作方法を教えてもらうなどの対策をとらなければならず、操作パネルにリストを表示するまでに時間がかかる。
【０００９】
本発明は、上記課題を解決するためになされたものであり、保留されている印刷ジョブの実行要求を簡単に行うことが可能な画像形成装置および画像形成システムを提供することを目的とする。
【課題を解決するための手段】
【００１０】
上記目的を達成するために、本発明の第１の局面による画像形成装置は、用紙に画像を印刷する印刷ジョブを実行する印刷部と、保留されている印刷ジョブの実行に必要な印刷データを記憶する記憶部と、ユーザーから所定操作を受け付けると、記憶部に記憶されている印刷データの識別情報を表示し、いずれかの識別情報を指定する指定操作をユーザーから受け付ける操作パネルと、操作パネルが指定操作を受け付けると、指定操作で指定された識別情報に対応する印刷データに基づく印刷ジョブを印刷部に実行させる制御部と、を備える。制御部は、ユーザーが予め定められたショートカット動作を行ったと判断すると、操作パネルが所定操作を受け付けていなくても、操作パネルに識別情報を表示させるとともに、操作パネルに指定操作の受け付けを行わせる。
【００１１】
本発明の第２の局面による画像形成システムは、上記画像形成装置と、画像形成装置と通信可能に接続され、ユーザーが要求した印刷ジョブの印刷データを画像形成装置に送信する情報処理装置と、を備える。情報処理装置は、画像形成装置に印刷データを送信するとき、印刷ジョブを保留するか否かをユーザーから受け付け、印刷ジョブを保留する旨を受け付けた場合、画像形成装置に送信する印刷データに保留情報を付加する。制御部は、保留情報が付加された印刷データを記憶部に記憶させる。
【発明の効果】
【００１２】
本発明の構成では、保留されている印刷ジョブの実行要求を簡単に行うことができる。
【図面の簡単な説明】
【００１３】
【図１】本発明の一実施形態による画像形成装置の構成を示す概略図
【図２】本発明の一実施形態による画像形成装置の構成を示すブロック図
【図３】本発明の一実施形態による画像形成システムのユーザー端末が行う処理の流れを示すフローチャート
【図４】本発明の一実施形態による画像形成装置が印刷データを受信したときに行う処理の流れを示すフローチャート
【図５】本発明の一実施形態による画像形成装置の操作パネルに表示されるリスト（印刷データの識別情報）を示す図
【図６】本発明の一実施形態による画像形成装置が行う処理（印刷ジョブが保留されているときの処理）の流れを示すフローチャート
【発明を実施するための形態】
【００１４】
以下に、本発明の一実施形態による画像形成装置について、プリンターを例にとって説明する。なお、本発明は複合機にも適用可能である。
【００１５】
＜画像形成装置の構成＞
図１に示すように、本実施形態の画像形成装置１００は、印刷部１を備える。印刷部１は、用紙Ｐに画像を印刷する印刷ジョブを実行する。印刷ジョブの実行時、印刷部１は、用紙搬送路１０（図１では、破線で示す）に沿って用紙Ｐを搬送し、搬送中の用紙Ｐに画像を印刷する。そして、印刷部１は、印刷済みの用紙Ｐを排出トレイＥＴに排出する。
【００１６】
印刷部１は、給紙ローラー１１、転写ローラー対１２および定着ローラー対１３を備える。
【００１７】
給紙ローラー１１は、用紙カセットＣＡに収容された用紙Ｐに当接し、その状態で回転することにより、用紙カセットＣＡから用紙搬送路１０に用紙Ｐを給紙する。図示しないが、給紙ローラー１１の用紙搬送方向下流側には、給紙ローラー１１により用紙カセットＣＡから引き出された用紙Ｐを１枚ずつに分離するための分離ローラー対が設けられる。
【００１８】
転写ローラー対１２は、感光体ドラムおよび転写ローラーを含む。感光体ドラムは、その周面上にトナー像を担持する。転写ローラーは、感光体ドラムに圧接し、感光体ドラムとの間で転写ニップを形成する。転写ローラー対１２は、回転することにより、転写ニップに進入した用紙Ｐを搬送しつつ、用紙Ｐにトナー像を転写する。
【００１９】
図示しないが、印刷部１は、帯電装置、露光装置および現像装置をさらに備える。帯電装置は、感光体ドラムの周面を帯電させる。露光装置は、感光体ドラムの周面上に静電潜像を形成する。現像装置は、感光体ドラムの周面上の静電潜像をトナー像に現像する。
【００２０】
定着ローラー対１３は、加熱ローラーおよび加圧ローラーを含む。加熱ローラーは、ヒーター（図示せず）を内蔵する。加圧ローラーは、加熱ローラーに圧接し、加熱ローラーとの間で定着ニップを形成する。定着ローラー対１３は、回転することにより、定着ニップに進入した用紙Ｐを搬送しつつ、用紙Ｐに転写されたトナー像を用紙Ｐに定着させる。定着ニップを抜けた用紙Ｐは排出トレイＥＴに排出される。
【００２１】
また、画像形成装置１００は、操作パネル２を備える。操作パネル２は、表示部２１および操作部２２を含む。表示部２１は、液晶表示パネルである。操作部２２は、ハードウェアボタンである。なお、操作パネル２にタッチスクリーンが設けられてもよい。操作パネル２にタッチスクリーンが設けられた構成では、タッチスクリーンが表示部２１として機能するとともに、タッチスクリーンが操作部２２として機能する。
【００２２】
表示部２１は、各種情報を表示する。操作部２２は、各種操作をユーザーから受け付ける。操作部２２としてのハードウェアボタンには、カーソルボタン、決定ボタンおよび節電ボタンなどがある。
【００２３】
また、図２に示すように、画像形成装置１００は、制御部３を備える。制御部３は、ＣＰＵ３１を含む。また、制御部３は、ＲＯＭおよびＲＡＭなどのメモリー３２を含む。ＣＰＵ３１は、制御プログラムに基づき画像形成装置１００を制御する。メモリー３２は、制御プログラムを記憶する。
【００２４】
制御部３は、印刷部１を制御する（印刷ジョブを制御する）。印刷ジョブの実行時、制御部３は、印刷部１の各種回転体（給紙ローラー１１、転写ローラー対１２および定着ローラー対１３など）を回転させるためのモーターＭＴを制御する。また、印刷ジョブの実行時、制御部３は、各種センサーＳＥの出力値を検知する。たとえば、印刷部１には、センサーＳＥとして、用紙搬送路１０の所定位置における用紙Ｐの有無（用紙Ｐの先端到達および用紙Ｐの後端通過）に応じて出力値を変化させる用紙センサーが設けられる。制御部３は、用紙センサーの出力値に基づき、用紙搬送路１０における用紙Ｐの搬送状態を認識する。
【００２５】
また、制御部３は、操作パネル２に接続され、操作パネル２を制御する。制御部３は、表示部２１の表示動作を制御するとともに、操作部２２が受け付けた操作を検知する。
【００２６】
なお、操作パネル２を制御するパネル制御部（図示せず）が制御部３とは別に画像形成装置１００に設けられてもよい。画像形成装置１００にパネル制御部が設けられた構成では、制御部３からパネル制御部に対して制御指示が与えられる。パネル制御部は、制御部３からの指示に基づき、操作パネル２の表示動作を制御する。また、パネル制御部は、操作パネル２が受け付けた操作を示す操作信号を制御部３に送信する。
【００２７】
ここで、画像形成装置１００は、振動センサー４を備える。たとえば、振動センサー４として加速度センサーを用いることができる。振動センサー４は、画像形成装置１００に発生した振動に応じた値を出力する。振動センサー４の設置位置は特に限定されない。画像形成装置１００の筺体に外部から衝撃が加わったときに振動センサー４の出力値が変化すればよい。
【００２８】
振動センサー４は、制御部３に接続される。制御部３は、振動センサー４の出力値を検知する。制御部３は、振動センサー４の出力値に基づき、画像形成装置１００に発生した振動のレベルを認識する。
【００２９】
また、画像形成装置１００は、記憶部５を備える。記憶部５は、ＥＥＰＲＯＭやＨＤＤのような不揮発性の記憶デバイスを含む。記憶部５は、制御部３に接続される。制御部３は、記憶部５へのデータの書き込みおよび記憶部５からのデータの読み出しを行う。
【００３０】
記憶部５には、種々のデータが記憶される。たとえば、印刷ジョブは保留される場合がある。この場合、印刷ジョブの実行に必要な印刷データが記憶部５に記憶される。記憶部５に印刷データを記憶させておくことにより、後から、記憶部５に記憶させた印刷データに対応する印刷ジョブの実行が可能となる。
【００３１】
また、画像形成装置１００は、通信部６を備える。通信部６は、画像形成装置１００をＬＡＮなどのネットワークＮＴに通信可能に接続するためのインターフェースである。通信部６は、通信回路を含む。通信部６は、制御部３に接続される。制御部３は、通信部６を用いて、ネットワークＮＴに接続された外部機器と通信する。
【００３２】
ネットワークＮＴには、画像形成装置１００のユーザーにより使用されるユーザー端末２００が接続される。ユーザー端末２００は「情報処理装置」に相当する。画像形成装置１００とユーザー端末２００とで画像形成システム１００Ｓが構成される。
【００３３】
たとえば、ユーザー端末２００は、パーソナルコンピューターである。ユーザー端末２００は、表示装置および入力装置を備える。表示装置は、液晶ディスプレイである。入力装置は、ハードウェアキーボードやポインティングデバイス（マウス）である。
【００３４】
ユーザー端末２００には、画像形成装置１００を使用するためのプリンタードライバーがインストールされる。ユーザー端末２００にプリンタードライバーをインストールすることにより、ユーザー端末２００から画像形成装置１００に対し、ユーザー端末２００で作成したドキュメントの印刷データ（ＰＤＬデータなど）に基づく印刷ジョブの実行要求を行うことができる。
【００３５】
ユーザー端末２００から画像形成装置１００へは、印刷ジョブの印刷データが送信される。印刷データには、印刷データの送信元のユーザー端末２００にログインしていたユーザー（印刷ジョブの実行を要求したユーザー）のユーザーＩＤ（ユーザー名など）が付加される。
【００３６】
ユーザー端末２００からの印刷データは通信部６が受信する。通信部６が印刷データを受信すると、制御部３は、印刷ジョブの実行要求を受けたと判断する。そして、制御部３は、通信部６が受信した印刷データに基づく印刷ジョブを印刷部１に実行させる。
【００３７】
また、画像形成装置１００は、電源部７を備える。電源部７は、電圧を生成する電圧生成回路を含む。電源部７は、画像形成装置１００の各部を動作させる電圧を生成し、当該各部に電力を供給する。印刷部１（モーターＭＴおよびセンサーＳＥを含む）、操作パネル２、制御部３、振動センサー４、記憶部５および通信部６は、電源部７から電力供給を受けて動作する被電力供給部である。制御部３は、電源部７を制御する。
【００３８】
電源部７は、通常モードおよび省電力モード（スリープモード）のいずれかの電力供給モードで被電力供給部に対して電力供給を行う。通常モードでは、電源部７から被電力供給部に対して通常の電力供給が行われる。省電力モードでは、電源部７から被電力供給部に対して供給される電力が通常モードよりも抑制される。すなわち、省電力モードは通常モードよりも消費電力を抑制する電力供給モードである。
【００３９】
制御部３は、電力供給モードが通常モードのとき、通常モードから省電力モードに移行する条件として予め定められた移行条件が満たされたか否かを判断する。移行条件が満たされたと判断したとき、制御部３は、電源部７に指示し、電力供給モードを通常モードから省電力モードに移行させる。
【００４０】
制御部３は、電力供給モードが通常モードのとき、画像形成装置１００が使用されないまま経過した時間である未使用時間を計測する。そして、未使用時間が予め定められた上限時間を超えると、制御部３は、移行条件が満たされたと判断する。また、制御部３は、電力供給モードが通常モードのとき、操作パネル２の節電ボタンに対する操作を検知すると、移行条件が満たされたと判断する。
【００４１】
電源部７は、電力供給モードが省電力モードのとき、印刷部１に対する電力供給を停止する。また、電源部７は、電力供給モードが省電力モードのとき、操作パネル２に対して供給する電力を通常モード時よりも抑制する。具体的には、電源部７は、表示部２１に対する電力供給を停止する。このとき、操作パネル２は、表示を停止した状態で操作を受け付ける。
【００４２】
制御部３は、電力供給モードが省電力モードのとき、省電力モードから通常モードに復帰する条件として予め定められた復帰条件が満たされたか否かを判断する。復帰条件が満たされたと判断したとき、制御部３は、電源部７に指示し、電力供給モードを省電力モードから通常モードに復帰させる。
【００４３】
制御部３は、電力供給モードが省電力モードのとき、操作パネル２の節電ボタンに対する操作を検知すると、復帰条件が満たされたと判断する。また、制御部３は、電力供給モードが省電力モードのとき、通信部６が印刷データを受信したことを検知すると、復帰条件が満たされたと判断する。
【００４４】
＜印刷ジョブの保留＞
本実施形態では、印刷ジョブを任意に保留することができる。印刷ジョブを保留せずに直ちに実行させることもできる。
【００４５】
印刷ジョブを保留するか否かの受け付けはユーザー端末２００が行う。ユーザー端末２００は、画像形成装置１００に印刷データを送信するとき、当該送信する印刷データに対応する印刷ジョブを保留するか否かをユーザーから受け付ける。以下に、図３に示すフローチャートを参照し、具体的に説明する。図３に示すフローチャートは、ユーザー端末２００が印刷ジョブの実行要求をユーザーから受け付けたときにスタートする。
【００４６】
たとえば、ユーザー端末２００は、図示しないジョブ設定画面を表示し、印刷ジョブの印刷条件の設定をユーザーから受け付ける。ユーザー端末２００にジョブ設定画面を表示させることにより、印刷ジョブの印刷部数などを設定することができる。
【００４７】
ジョブ設定画面には、印刷ボタンが配置される。ユーザー端末２００は、印刷ボタンに対する操作（印刷ボタンの表示領域にポインタを合わせてクリックする操作）が行われると、印刷ジョブの実行要求を受け付けたと判断する。
【００４８】
ステップＳ１において、ユーザー端末２００は、印刷ジョブを保留するか否かの受け付けを行う。ステップＳ２において、ユーザー端末２００は、印刷ジョブを保留する旨を受け付けたか否かを判断する。その結果、印刷ジョブを保留する旨を受け付けたとユーザー端末２００が判断した場合には、ステップＳ３に移行する。
【００４９】
ステップＳ３に移行すると、ユーザー端末２００は、画像形成装置１００に送信する印刷データに保留情報を付加する。保留情報は、画像形成装置１００に印刷ジョブを保留させるための情報である。その後、ステップＳ４に移行する。
【００５０】
ステップＳ４に移行すると、ユーザー端末２００は、画像形成装置１００に印刷データを送信する。ステップＳ３からステップＳ４に移行した場合には、保留情報が付加された印刷データが画像形成装置１００に送信される。
【００５１】
ステップＳ２において、印刷ジョブを保留しない旨（印刷ジョブを直ちに実行する旨）を受け付けたとユーザー端末２００が判断した場合には、ステップＳ４に移行する。ステップＳ２からステップＳ４に移行した場合には、保留情報が付加されていない印刷データが画像形成装置１００に送信される。
【００５２】
通常では、画像形成装置１００が印刷データを受信すると（印刷ジョブの実行要求を受けると）、画像形成装置１００にて印刷ジョブが直ちに実行される。しかし、印刷データに保留情報が付加されている場合には、印刷ジョブは保留される。以下に、図４に示すフローチャートを参照し、具体的に説明する。図４に示すフローチャートは、画像形成装置１００が印刷データを受信したときにスタートする。
【００５３】
ステップＳ１１において、制御部３は、通信部６が受信した印刷データに保留情報が付加されているか否かを判断する。その結果、印刷データに保留情報が付加されていると制御部３が判断した場合には、ステップＳ１２に移行する。
【００５４】
ステップＳ１２に移行すると、制御部３は、印刷ジョブを保留する。この場合、制御部３は、通信部６が受信した印刷データ（保留情報が付加された印刷データ）を記憶部５に記憶させる。すなわち、記憶部５は、保留される印刷ジョブの実行に必要な印刷データを記憶する。
【００５５】
ステップＳ１１において、印刷データに保留情報が付加されていないと制御部３が判断した場合には、ステップＳ１３に移行する。ステップＳ１３に移行すると、制御部３は、印刷部１に印刷ジョブを直ちに実行させる。
【００５６】
＜保留されている印刷ジョブの実行＞
本実施形態では、印刷ジョブが保留されている場合、保留されている印刷ジョブを任意のタイミングで実行させることができる。
【００５７】
具体的には、操作パネル２に対して操作を行うことにより、保留されている印刷ジョブの実行要求を画像形成装置１００に行うことができる。操作パネル２は、保留されている印刷ジョブの実行要求を受け付けるとき、図５に示すように、記憶部５に記憶されている印刷データを識別するための識別情報をリストアップしたリストＬを表示する。記憶部５に複数の印刷データが記憶されている場合には、複数の印刷データの各識別情報が操作パネル２に表示される。識別情報は、印刷データのファイル名（印刷データに対応するドキュメントのファイル名）を含む。また、識別情報は、印刷データに付加されたユーザーＩＤを含む。
【００５８】
操作パネル２は、リストＬを表示しているとき、表示中のいずれかの識別情報を指定する指定操作をユーザーから受け付ける。たとえば、操作パネル２は、カーソルＣを表示する。図５では、カーソルＣを矢印画像で示す。操作パネル２のカーソルボタンを操作することにより、カーソルＣを移動させることができる。所望の印刷データの識別情報にカーソルＣを合わせ、その状態で操作パネル２の決定ボタンを押すと、所望の印刷データの識別情報を指定することができる。すなわち、操作パネル２の決定ボタンを押す操作が指定操作として受け付けられる。カーソルＣが所望の印刷データの識別情報から外れている場合には、操作パネル２のカーソルボタンでカーソルＣを移動させてから、操作パネル２の決定ボタンを押せばよい。
【００５９】
制御部３は、操作パネル２が指定操作を受け付けると、指定操作で指定された識別情報に対応する印刷データ（記憶部５に記憶されている印刷データ）に基づく印刷ジョブを印刷部１に実行させる。すなわち、印刷部１は、保留されていた印刷ジョブを実行する。印刷部１は、指定操作で指定された印刷データに基づきトナー像を形成し、当該形成したトナー像を用紙Ｐに印刷する。印刷ジョブの印刷物は排出トレイＥＴに排出される。なお、制御部３は、指定操作で指定された識別情報に対応する印刷データに基づく印刷ジョブの実行後、指定操作で指定された識別情報に対応する印刷データを記憶部５から消去する。
【００６０】
この構成では、保留されている印刷ジョブ（ここでは、対象印刷ジョブと称する）は対象印刷ジョブの実行を要求したユーザー（ここでは、対象ユーザーと称する）が画像形成装置１００の近くにいるときに実行される。したがって、対象印刷ジョブの完了後、対象ユーザーは対象印刷ジョブの印刷物を直ぐに排出トレイＥＴから抜き取ることができる。すなわち、排出トレイＥＴ上において対象印刷ジョブの印刷物が他の複数の印刷ジョブの印刷物の中に混入した状態になるのを抑制することができる。これにより、対象ユーザーにとっては利便性が良い。
【００６１】
たとえば、或る印刷ジョブ（ここでは、先行印刷ジョブと称する）の印刷物が排出トレイＥＴ上に在る状態で対象印刷ジョブが実行され、対象印刷ジョブの完了後、対象印刷ジョブの印刷物を排出トレイＥＴから抜き取る前に他の印刷ジョブ（ここでは、後行印刷ジョブと称する）が実行されたとする。この場合には、先行印刷ジョブおよび後行印刷ジョブの各印刷物の間に対象印刷ジョブの印刷物が混入した状態になる。その結果、複数の印刷ジョブの各印刷物を仕分ける仕分作業を行わなければならないので、ユーザーにとっては煩わしく利便性が悪い。排出トレイＥＴ上に印刷物が無い状態で対象印刷ジョブが実行されても、対象印刷ジョブの印刷物を排出トレイＥＴから抜き取る前に他の印刷ジョブが実行されると、仕分作業が必要となる。
【００６２】
＜ショートカット動作＞
たとえば、操作パネル２の操作部２２は、メニューボタン（メニューボタンはハードウェアボタンである）を含む。操作パネル２は、メニューボタンに対する操作を受け付けると、複数の項目を含むメニュー（図示せず）を表示し、いずれかの項目を選択する操作の受け付けを行う。操作パネル２に表示されるメニューの中には、保留ジョブ（保留されている印刷ジョブ）に関する項目がある。操作パネル２は、保留ジョブに関する項目が選択されると、リストＬ（図５参照）を表示し、指定操作の受け付けを行う。
【００６３】
このように、操作パネル２にリストＬを表示させる（指定操作を行う）には、操作パネル２に対して数多くの操作を行わなければならない。言い換えると、保留されている印刷ジョブの実行要求を画像形成装置１００に行うには、操作パネル２に対して数多くの操作を行わなければならない。以下の説明では、操作パネル２にリストＬを表示させるための一連の操作をリスト表示操作と称する。リスト表示操作は「所定操作」に相当する。
【００６４】
また、電力供給モードが省電力モードのときには、まず、操作パネル２の節電ボタンに対する操作（復帰操作）を行い、電力供給モードを通常モードに復帰させなければならない。そして、その後、操作パネル２に対してリスト表示操作を行わなければならない。
【００６５】
ユーザーからすると、保留されている印刷ジョブの実行を要求するのに際して数多くの操作を行わなければならないのは、煩わしく利便性が悪い。ユーザーが画像形成装置１００の扱いに慣れていなければ、操作パネル２にリストＬを表示させるのに時間がかかる。
【００６６】
そこで、制御部３は、ユーザーが予め定められたショートカット動作を行ったと判断すると、操作パネル２が操作されていなくても、操作パネル２にリストＬを表示させ、操作パネル２に指定操作の受け付けを行わせる。すなわち、ショートカット動作を行うことにより、操作パネル２に対してリスト表示操作を行わなくても、操作パネル２にリストＬを表示させることができる。
【００６７】
また、制御部３は、電力供給モードが省電力モードのときにユーザーがショートカット動作を行ったと判断すると、操作パネル２が操作されていなくても、電力供給モードを通常モードに復帰させる。そして、電力供給モードを通常モードに復帰させた後、制御部３は、操作パネル２が操作されていなくても、操作パネル２にリストＬを表示させ、操作パネル２に指定操作の受け付けを行わせる。すなわち、ショートカット動作を行うことにより、操作パネル２に対して復帰操作およびリスト表示操作を順次行わなくても、操作パネル２にリストＬを表示させることができる。
【００６８】
以下に、図６に示すフローチャートを参照し、印刷ジョブが保留されているとき（記憶部５に印刷データが記憶されているとき）に制御部３が行う処理の流れを説明する。
【００６９】
ステップＳ２１において、制御部３は、ショートカット動作が行われたか否かを判断する。ショートカット動作が行われたと制御部３が判断した場合には、ステップＳ２２に移行する。一方で、ショートカット動作が行われていないと制御部３が判断した場合には、ステップＳ２１の処理が繰り返される。
【００７０】
ここで、本実施形態では、画像形成装置１００の筺体を叩く動作（画像形成装置１００の筺体に外部から衝撃を加える動作）がショートカット動作とされる。操作パネル２のハードウェアボタンを押す動作はショートカット動作ではない。以下に、ショートカット動作が行われたか否かの判断方法について説明する。
【００７１】
制御部３は、印刷ジョブを保留しているとき（記憶部５に印刷データが記憶されているとき）、振動センサー４の出力値を監視する。そして、制御部３は、振動センサー４の出力値に基づき、ショートカット動作が行われたか否かを判断する。
【００７２】
具体的には、制御部３は、振動センサー４の出力値が予め定められた閾値を超えたことを検知したとき（画像形成装置１００に所定レベルを超える振動が発生したとき）、ショートカット動作が行われたと判断する。たとえば、画像形成装置１００の筺体を人が叩いたときの振動センサー４の出力値が実験的に求められる。そして、画像形成装置１００の筺体を人が叩いたときの振動センサー４の出力値に基づき閾値が定められる。たとえば、画像形成装置１００の筺体を人が軽くノックしたときの振動センサー４の出力値が閾値を超えるように閾値が定められる。
【００７３】
なお、この構成では、ユーザーが画像形成装置１００にぶつかるなどした場合、ショートカット動作が行われたと判断され得る。そこで、変形例として、所定期間に所定回数以上（２回以上）、振動センサー４の出力値が閾値を超えたときに、ショートカット動作が行われたと制御部３が判断するよう構成してもよい。これにより、ユーザーが画像形成装置１００に１回ぶつかっただけでは、ショートカット動作が行われたと判断されない。所定期間は、たとえば、１〜２秒である。所定回数は、たとえば、２〜３回である。
【００７４】
ステップＳ２２において、制御部３は、記憶部５に複数の印刷データが記憶されているか否かを判断する。その結果、記憶部５に複数の印刷データが記憶されていると制御部３が判断した場合には、ステップＳ２３に移行する。
【００７５】
ステップＳ２３において、制御部３は、操作パネル２にリストＬを表示させる。ショートカット動作が行われたときの電力供給モードが省電力モードであった場合には、制御部３は、電力供給モードを通常モードに復帰させてから、操作パネル２にリストＬを表示させる。リストＬの表示後、制御部３は、操作パネル２に指定操作の受け付けを行わせる。
【００７６】
ステップＳ２４において、制御部３は、操作パネル２が指定操作を受け付けたか否かを判断する。その結果、操作パネル２が指定操作を受け付けたと制御部３が判断した場合には、ステップＳ２５に移行する。ステップＳ２５において、制御部３は、指定操作で指定された識別情報に対応する印刷データ（記憶部５に記憶されている印刷データ）に基づく印刷ジョブを印刷部１に実行させる。
【００７７】
ステップＳ２４において、操作パネル２が指定操作を受け付けていないと制御部３が判断した場合には、ステップＳ２６に移行する。ステップＳ２６において、制御部３は、操作パネル２がキャンセル操作を受け付けたか否かを判断する。たとえば、操作パネル２の操作部２２は、キャンセルボタン（キャンセルボタンはハードウェアボタンである）を含む。操作パネル２は、キャンセルボタンを押す操作をキャンセル操作として受け付ける。
【００７８】
ステップＳ２６において、操作パネル２がキャンセル操作を受け付けたと制御部３が判断した場合には、本フローは終了する。この場合には、印刷ジョブは実行されない。一方で、操作パネル２がキャンセル操作を受け付けていないと制御部３が判断した場合には、ステップＳ２４に移行する。
【００７９】
ここで、ステップＳ２２において、記憶部５に記憶されている印刷データが１つであると制御部３が判断した場合には、ステップＳ２５に移行する。そして、ステップＳ２５において、制御部３は、記憶部５に１つだけ記憶されている印刷データに基づく印刷ジョブを印刷部１に実行させる。この場合には、操作パネル２にリストＬが表示されない（指定操作の受け付けが行われない）。
【００８０】
なお、ステップＳ２２の処理が省略されてもよい（ステップＳ２１で「Ｙｅｓ」の場合にステップＳ２３に移行してもよい）。この構成では、制御部３は、ショートカット動作が行われたと判断すると、記憶部５に記憶されている印刷データが１つだけであっても、当該１つの印刷データの識別情報がリストアップされたリストＬを操作パネル２に表示させ、操作パネル２に指定操作の受け付けを行わせる。
【００８１】
本実施形態の画像形成装置１００は、上記のように、用紙Ｐに画像を印刷する印刷ジョブを実行する印刷部１と、保留されている印刷ジョブの実行に必要な印刷データを記憶する記憶部５と、ユーザーからリスト表示操作（所定操作）を受け付けると、記憶部５に記憶されている印刷データの識別情報をリストアップしたリストＬを表示し、表示中のリストＬからいずれかの識別情報を指定する指定操作をユーザーから受け付ける操作パネル２と、操作パネル２が指定操作を受け付けると、指定操作で指定された識別情報に対応する印刷データに基づく印刷ジョブを印刷部１に実行させる制御部３と、を備える。制御部３は、ユーザーがショートカット動作を行ったと判断すると、操作パネル２がリスト表示操作を受け付けていなくても、操作パネル２に識別情報を表示させるとともに、操作パネル２に指定操作の受け付けを行わせる。
【００８２】
本実施形態の構成では、保留されている印刷ジョブ（対応する印刷データが記憶部５に記憶されている印刷ジョブ）の実行要求を画像形成装置１００に行うとき、操作パネル２に対してリスト表示操作を行わなくても、ショートカット動作を行うだけで、操作パネル２にリストＬを表示させることができる。これにより、簡単に（操作パネル２に対して数多くの操作を行わなくても）、保留されている印刷ジョブの実行要求を画像形成装置１００に行うことができる。
【００８３】
また、本実施形態では、上記のように、制御部３は、画像形成装置１００の筺体を叩く動作をショートカット動作として検知する。これにより、ユーザーからすると、複雑な動作を行わなくてもよい（画像形成装置１００の筺体を叩くだけでよい）ので、利便性が良い。
【００８４】
また、本実施形態では、上記のように、制御部３は、所定期間内に所定回数以上（２回以上）、振動センサー４の出力値が閾値を超えたとき、ショートカット動作が行われたと判断する。これにより、画像形成装置１００の近くでユーザーが何らかの動作（排出トレイＥＴから印刷物を抜き取る動作など）を行っているとき、ユーザーが意図せず画像形成装置１００の筺体にぶつかっても、ショートカット動作が行われたと判断されることはない。なお、この構成では、画像形成装置１００の筺体を複数回ノックするような動作を行えば、ショートカット動作が行われたと判断される。したがって、ショートカット動作が複雑化することはない。
【００８５】
また、本実施形態では、上記のように、制御部３は、電力供給モードが省電力モードのとき、ショートカット動作が行われたと判断すると、電力供給モードを通常モードに復帰させ、電力供給モードを通常モードに復帰させた後、操作パネル２がリスト表示操作を受け付けていなくても、操作パネル２に識別情報を表示させるとともに、操作パネル２に指定操作の受け付けを行わせる。これにより、電力供給モードが省電力モードであっても、操作パネル２の節電ボタンを押さなくてもよいので、保留されている印刷ジョブの実行要求を画像形成装置１００に行うときの利便性がより向上する。
【００８６】
また、本実施形態では、上記のように、ユーザー端末２００（情報処理装置）は、画像形成装置１００に印刷データを送信するとき、印刷ジョブを保留するか否かをユーザーから受け付け、印刷ジョブを保留する旨を受け付けた場合、画像形成装置１００に送信する印刷データに保留情報を付加する。制御部３は、保留情報が付加された印刷データを記憶部５に記憶させる。これにより、印刷ジョブを簡単に保留することができる。
【００８７】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【００８８】
たとえば、画像形成装置１００にショートカットボタンを設けてもよい。そして、ショートカットボタンが押されたとき、ショートカット動作が行われたと制御部３が判断するよう構成してもよい。
【符号の説明】
【００８９】
１  印刷部
２  操作パネル
３  制御部
４  振動センサー
５  記憶部
１００  画像形成装置
１００Ｓ  画像形成システム
２００  ユーザー端末（情報処理装置）
【図１】
2020166126.tif 000003
【図２】
2020166126.tif 000004
【図３】
2020166126.tif 000005
【図４】
2020166126.tif 000006
【図５】
2020166126.tif 000007
【図６】
2020166126.tif 000008